(57)【要約】非同期移動通信網から同期移動通信網へのハンドオーバー方法が開示されている。移動通信端末からのハンドオーバー要請に応じて、前記非同期移動通信網のアクセス網が交換機にハンドオーバーを要請すれば、交換機がデュアルスタック・ホーム位置登録器に移動通信端末の加入者情報を要請して受信し、移動通信端末の加入者情報に基づいて、同期移動通信網にハンドオーバー要請メッセージを送り、同期移動通信網の交換機が移動通信端末に順方向チャンネルを割り当て、同期移動通信網の交換機からの応答に基づいて、非同期移動通信網が移動通信端末の非同期無線装置にハンドオーバー要請メッセージを送り、これにより、移動通信端末が同期無線装置のセットアップを行い、同期移動通信網と逆方向チャンネル割当て及び同期を合わせて接続を行い、移動通信端末が同期移動通信網にハンドオーバー完了メッセージを送り、ハンドオーバー完了メッセージに基づいて、同期移動通信網がハンドオーバー完了メッセージを非同期移動通信網に送り、同期移動通信網からのハンドオーバー完了メッセージに基づいて、非同期移動通信網と移動通信端末との経路を解放することにより、円滑なハンドオーバーを行うことができる。
2008538476.tif 000002
【特許請求の範囲】
【請求項１】
非同期移動通信網と非同期通信を行うための非同期無線装置と、同期移動通信網と同期通信を行うための同期無線装置と、前記同期及び非同期無線装置を介した前記同期／非同期移動通信網との無線通信時に制御を行う共通モジュールとを有するデュアルバンド・デュアルモードの移動通信端末に対する非同期移動通信網と同期移動通信網が混在し、前記非同期移動通信網及び同期移動通信網の加入者情報を管理するためのデュアルスタック・ホーム位置登録器を有する移動通信網におけるハンドオーバー方法であって、
移動通信端末からのハンドオーバー要請に応じて、前記非同期移動通信網のアクセス網が交換機にハンドオーバーを要請する第１のステップと、
前記ハンドオーバー要請に応じて、前記交換機が同期移動通信網へのハンドオーバーであるかどうかを判断し、前記同期移動通信網へのハンドオーバーである場合に、前記デュアルスタック・ホーム位置登録器に前記移動通信端末の加入者情報を要請して受信する第２のステップと、
前記第２のステップにおいて受信した前記移動通信端末の加入者情報に基づいて、同期移動通信網にハンドオーバー要請メッセージを送る第３のステップと、
前記第３のステップにおける情報に基づいて、同期移動通信網の交換機が前記移動通信端末に順方向チャンネルを割り当てる第４のステップと、
前記第４のステップにおけるチャンネルの割当て後、同期移動通信網の交換機が非同期移動通信網に応答メッセージを送ると、非同期移動通信網が前記移動通信端末の非同期無線装置にハンドオーバー要請メッセージを送る第５のステップと、
前記ハンドオーバー要請メッセージに基づいて、前記移動通信端末が同期無線装置のセットアップを行い、同期移動通信網と逆方向チャンネル割当て及び同期を合わせて接続を行い、前記移動通信端末が同期移動通信網にハンドオーバー完了メッセージを送る第６のステップと、
前記第６のステップにおける前記ハンドオーバー完了メッセージに基づいて、同期移動通信網がハンドオーバー完了メッセージを非同期移動通信網に送る第７のステップと、
前記同期移動通信網からのハンドオーバー完了メッセージに基づいて、前記非同期移動通信網の交換機がアクセス網に経路解放指令を送って応答を受信することにより、非同期移動通信網と移動通信端末の非同期無線装置との経路を解放する第８のステップと、を含むことを特徴とする非同期移動通信網から同期移動通信網へのハンドオーバー方法。
【請求項２】
前記第１のステップにおいて、ハンドオーバーを要請するためのメッセージは、前記同期移動通信網において用いるハンドオーバー関係のメッセージと、前記移動通信端末の隣接セル情報と、隣接基地局情報と、ハンドオーバー型と、ハンドオーバーの原因と、ソース基地局制御器ＩＤと、ターゲット基地局制御器ＩＤと、ＲＡＢ情報及び無線区間関係の情報パラメータを含んでいることを特徴とする請求項１に記載の非同期移動通信網から同期移動通信網へのハンドオーバー方法。
【請求項３】
前記第２のステップにおいて、前記デュアルスタック・ホーム位置登録器に前記移動通信端末の加入者情報を要請するメッセージは同期ＭＡＰメッセージであり、ビリングＩＤ、ＭＳＩＳＤＮパラメータを含んでいることを特徴とする請求項１に記載の非同期移動通信網から同期移動通信網へのハンドオーバー方法。
【請求項４】
前記第２のステップにおいて、前記デュアルスタック・ホーム位置登録器に前記移動通信端末の加入者情報を要請するメッセージはＭＡＰメッセージを用いる非同期メッセージであり、インボークＩＤ、ＭＳＩＳＤＮ、ＩＭＳＩパラメータ及び拡張コンテーナーにおけるＭＩＮ、ＥＳＮパラメータを含んでいることを特徴とする請求項１に記載の非同期移動通信網から同期移動通信網へのハンドオーバー方法。
【請求項５】
前記第２のステップにおいて、前記デュアルスタック・ホーム位置登録器は、加入者情報を要請するメッセージに基づいて、前記移動通信端末の同期移動通信網についてのＥＳＮ及びＭＩＮ情報を含む応答メッセージを非同期移動通信網に送ることを特徴とする請求項１に記載の非同期移動通信網から同期移動通信網へのハンドオーバー方法。
【請求項６】
前記第３のステップにおいて、ハンドオーバー要請メッセージは、ビリングＩＤ、ＥＳＮ、内部交換機サーキットＩＤ及びＭＩＮパラメータを含んでいることを特徴とする請求項１に記載の非同期移動通信網から同期移動通信網へのハンドオーバー方法。
【請求項７】
前記第３のステップにおいて、ハンドオーバー要請メッセージは、前記非同期移動通信網の交換機に接続する同期移動通信網の交換機のＩＤ情報を含むビリングＩＤ及びハンドオーバー区間別の内部交換機サーキットＩＤを含んでいることを特徴とする請求項１に記載の非同期移動通信網から同期移動通信網へのハンドオーバー方法。
【請求項８】
前記第４のステップにおいては、前記同期移動通信網の基地局が前記移動通信端末の同期無線装置にヌルトラフィックチャンネルフレームを送ることにより順方向チャンネルの割当てを行うことを特徴とする請求項１に記載の非同期移動通信網から同期移動通信網へのハンドオーバー方法。
【請求項９】
前記第５のステップにおいて、前記移動通信端末の非同期無線装置に送るハンドオーバー要請メッセージは、メッセージ型、ＲＲＣコンテーナー、解放するＲＡＢ一覧を含むパラメータ及び同期移動通信網関係のチャンネル割当てのための情報を含んでいることを特徴とする請求項１に記載の非同期移動通信網から同期移動通信網へのハンドオーバー方法。
【請求項１０】
前記第６のステップにおけるセットアップは、前記ハンドオーバー要請メッセージに基づいて、前記移動通信端末の非同期無線装置が前記同期無線装置に前記チャンネル割当て情報を送るステップと、
前記非同期無線装置と同期無線装置との間のモード切替えを行うステップと、
を行うことにより行われることを特徴とする請求項１に記載の非同期移動通信網から同期移動通信網へのハンドオーバー方法。
【請求項１１】
前記第６のステップにおいては、前記セットアップ後、前記同期無線装置と前記同期移動通信網との間に逆方向チャンネル割当て及び同期を取得して接続を行うことを特徴とする請求項１に記載の非同期移動通信網から同期移動通信網へのハンドオーバー方法。
【請求項１２】
前記第８のステップにおいて、前記経路解放指令は、ビリングＩＤ、デジット、ＭＳＣＩＤを含むパラメータを含んでいることを特徴とする請求項１に記載の非同期移動通信網から同期移動通信網へのハンドオーバー方法。
【請求項１３】
非同期移動通信網と非同期通信を行うための非同期無線装置と、同期移動通信網と同期通信を行うための同期無線装置と、前記同期及び非同期無線装置を介した前記同期／非同期移動通信網との無線通信時に制御を行う共通モジュールとを有するデュアルバンド・デュアルモードの移動通信端末に対する非同期移動通信網と同期移動通信網が混在し、前記非同期移動通信網及び同期移動通信網の加入者情報を管理するためのデュアルスタック・ホーム位置登録器を有する移動通信網におけるハンドオーバー方法であって、
非同期移動通信網の領域に位置する着信端末としての前記移動通信端末が着信アラート中に同期移動通信網に入る場合、非同期移動通信網が前記デュアルスタック・ホーム位置登録器に前記着信端末の情報を要請して受信する第１のステップと、
前記第１のステップにおいて受信した前記着信端末の情報に基づいて、同期移動通信網にハンドオーバーを要請する第２のステップと、
前記第２のステップにおける情報に基づいて、同期移動通信網が前記着信端末に順方向チャンネルを割り当てる第３のステップと、
前記第３のステップにおけるチャンネル割当て後に、同期移動通信網が非同期移動通信網に応答メッセージを送ると、非同期移動通信網が前記着信端末の非同期無線装置にハンドオーバー要請メッセージを送る第４のステップと、
前記ハンドオーバー要請メッセージに基づいて、前記着信端末が同期無線装置のセットアップを行い、同期移動通信網と逆方向チャンネル割当て及び同期を合わせて接続を行い、前記着信アラートを行い続ける第５のステップと、
前記接続後、同期移動通信網からのハンドオーバー完了メッセージに基づいて、前記非同期移動通信網と着信端末の非同期無線装置との経路を解放する第６のステップと、
前記着信端末が前記着信アラートに応答すれば、前記同期移動通信網が呼を接続する第７のステップと、を含むことを特徴とする非同期移動通信網から同期移動通信網へのハンドオーバー方法。
【請求項１４】
前記第１のステップは、非同期移動通信網の領域に位置する着信端末としての前記移動通信端末が着信アラート中に同期移動通信網に入るに伴い、前記非同期移動通信網のアクセス網がコア網に経路再設定要請メッセージを送るステップと、
前記経路再設定要請メッセージに基づいて、非同期移動通信網のコア網がＭＡＰメッセージを用いてハンドオーバーを行う移動通信端末の同期移動通信網における情報を要請するメッセージを前記デュアルスタック・ホーム位置登録器に送って応答を受信するステップと、を含むことを特徴とする請求項１３に記載の非同期移動通信網から同期移動通信網へのハンドオーバー方法。
【請求項１５】
前記経路再設定要請メッセージは、ハンドオーバーを行う同期移動通信網の基地局情報としてのセル情報を含んでいることを特徴とする請求項１４に記載の非同期移動通信網から同期移動通信網へのハンドオーバー方法。
【請求項１６】
前記デュアルスタック・ホーム位置登録器は、前記マップメッセージに基づいて、前記着信端末の同期移動通信網についてのＥＳＮ及びＭＩＮ情報を前記応答メッセージに含めて非同期移動通信網に送ることを特徴とする請求項１４に記載の非同期移動通信網から同期移動通信網へのハンドオーバー方法。
【請求項１７】
前記第３のステップにおいては、前記同期移動通信網の基地局が前記移動通信端末の同期無線装置にヌルトラフィックチャンネルフレームを送ることにより順方向チャンネル割当てを行うことを特徴とする請求項１３に記載の非同期移動通信網から同期移動通信網へのハンドオーバー方法。
【請求項１８】
前記第５のステップにおけるセットアップは、前記ハンドオーバー要請メッセージに基づいて、前記非同期移動通信網が前記移動通信端末の非同期無線装置にチャンネル割当て情報を含むハンドオーバー要請メッセージを送るステップと、
前記移動通信端末の非同期無線装置が前記同期無線装置に前記チャンネル割当て情報を送るステップと、
前記非同期無線装置と同期無線装置との間のモード切替えを行うステップと、
を行うことにより行われることを特徴とする請求項１３に記載の非同期移動通信網から同期移動通信網へのハンドオーバー方法。
【請求項１９】
前記第５のステップは、前記セットアップ後、前記同期無線装置と前記同期移動通信網との間に逆方向チャンネル割当て及び同期を取得して接続を行うステップと、
前記同期移動通信網が前記着信端末の同期無線装置に前記着信アラートを行い続けるステップと、を含むことを特徴とする請求項１８に記載の非同期移動通信網から同期移動通信網へのハンドオーバー方法。
【請求項２０】
前記第６のステップにおいて、前記経路解放に伴い、前記非同期移動通信網は、前記着信端末の非同期無線装置のための前記アクセス網の無線局ベアラーターミネーションを除去することを特徴とする請求項１３に記載の非同期移動通信網から同期移動通信網へのハンドオーバー方法。
【請求項２１】
前記第６のステップにおいて、前記同期移動通信網からのハンドオーバー完了メッセージに基づいて、前記非同期移動通信網は、無線局ベアラーターミネーション及び同期移動通信網ベアラーターミネーションを単方向に変えることを特徴とする請求項１３に記載の非同期移動通信網から同期移動通信網へのハンドオーバー方法。
【請求項２２】
前記第７のステップにおいては、前記着信端末が着信アラートに応答するに伴い、同期移動通信網が非同期移動通信網にインターシステム応答メッセージを送って応答を受信することにより、前記着信端末と非同期移動通信網の領域に位置する発信端末との呼を接続することを特徴とする請求項１３に記載の非同期移動通信網から同期移動通信網へのハンドオーバー方法。
【請求項２３】
前記非同期移動通信網の交換機は、前記インターシステム応答メッセージを受信した後、前記着信端末の応答メッセージを発信端末の属する移動通信網に送ることにより呼接続を行うことを特徴とする請求項２２に記載の非同期移動通信網から同期移動通信網へのハンドオーバー方法。
【請求項２４】
前記非同期移動通信網の交換機は、前記着信端末のハンドオーバー中であっても、発信端末にリングバックトーンを送り出し続けることを特徴とする請求項１３に記載の非同期移動通信網から同期移動通信網へのハンドオーバー方法。
【請求項２５】
非同期移動通信網と非同期通信を行うための非同期無線装置と、同期移動通信網と同期通信を行うための同期無線装置と、前記同期及び非同期無線装置を介した前記同期／非同期移動通信網との無線通信時に制御を行う共通モジュールとを有するデュアルバンド・デュアルモードの移動通信端末に対する非同期移動通信網と同期移動通信網が混在し、前記非同期移動通信網及び同期移動通信網の加入者情報を管理するためのデュアルスタック・ホーム位置登録器を有する移動通信網におけるハンドオーバー方法であって、
非同期移動通信網の領域に位置する発信端末としての前記移動通信端末が発信応答待ち中に同期移動通信網に入るに伴い、前記非同期移動通信網のアクセス網がコア網にハンドオーバーを要請する第１のステップと、
前記ハンドオーバーの要請に応じて、非同期移動通信網のコア網がハンドオーバーを行う前記発信端末の同期移動通信網における加入者情報を要請するメッセージを前記デュアルスタック・ホーム位置登録器に送って応答を受信する第２のステップと、
前記第２のステップにおいて受信した前記発信端末の情報に基づいて、前記非同期移動通信網の交換機がハンドオーバー要請メッセージを生成して同期移動通信網にハンドオーバーを要請する第３のステップと、
前記第３のステップにおける情報に基づいて、同期移動通信網が前記発信端末に順方向チャンネルを割り当てる第４のステップと、
前記第４のステップにおけるチャンネルの割当て後、同期移動通信網が非同期移動通信網に応答メッセージを送ると、非同期移動通信網が前記発信端末の非同期無線装置にハンドオーバー要請メッセージを送る第５のステップと、
前記ハンドオーバー要請メッセージに基づいて、前記発信応答待ち中の発信端末が同期無線装置のセットアップを行い、同期移動通信網と逆方向チャンネル割当て及び同期を合わせて接続を行い、前記発信応答を待ち続ける第６のステップと、
前記接続後、同期移動通信網からのハンドオーバー完了メッセージに基づいて、前記非同期移動通信網と発信応答待ち中の発信端末の非同期無線装置との経路を解放することにより前記発信端末のハンドオーバーを完了する第７のステップと、を含むことを特徴とする非同期移動通信網から同期移動通信網へのハンドオーバー方法。
【請求項２６】
前記第１のステップにおけるハンドオーバーの要請は、ハンドオーバーを行う同期移動通信網の基地局情報としてのセル情報を含んでいることを特徴とする請求項２５に記載の非同期移動通信網から同期移動通信網へのハンドオーバー方法。
【請求項２７】
前記第２のステップにおいて、前記デュアルスタック・ホーム位置登録器に前記移動通信端末の加入者情報を要請するメッセージは同期ＭＡＰメッセージであり、ビリングＩＤ及びＭＳＩＳＤＮパラメータを含んでいることを特徴とする請求項２５に記載の非同期移動通信網から同期移動通信網へのハンドオーバー方法。
【請求項２８】
前記第２のステップにおいて、前記デュアルスタック・ホーム位置登録器に前記移動通信端末の加入者情報を要請するメッセージはＭＡＰメッセージを用いる非同期メッセージであり、インボークＩＤ、ＭＳＩＳＤＮ、ＩＭＳＩ、ＭＩＮ、ＥＳＮパラメータを含んでいることを特徴とする請求項２５に記載の非同期移動通信網から同期移動通信網へのハンドオーバー方法。
【請求項２９】
前記第２のステップにおいて、前記デュアルスタック・ホーム位置登録器は、加入者情報を要請するメッセージに基づいて、前記移動通信端末の同期移動通信網についてのＥＳＮ及びＭＩＮ情報を含む応答メッセージを非同期移動通信網に送ることを特徴とする請求項２５に記載の非同期移動通信網から同期移動通信網へのハンドオーバー方法。
【請求項３０】
前記第４のステップにおいては、前記同期移動通信網の基地局が前記発信端末としての移動通信端末の同期無線装置にヌルトラフィックチャンネルフレームを送ることにより順方向チャンネル割当てを行うことを特徴とする請求項２５に記載の非同期移動通信網から同期移動通信網へのハンドオーバー方法。
【請求項３１】
前記第６のステップにおけるセットアップは、前記ハンドオーバー要請メッセージに基づいて、前記非同期移動通信網が前記発信端末としての移動通信端末の非同期無線装置にチャンネル割当て情報を含むハンドオーバー要請メッセージを送るステップと、
前記発信端末としての移動通信端末の非同期無線装置が前記同期無線装置に前記チャンネル割当て情報を送るステップと、
前記非同期無線装置と同期無線装置との間のモード切替えを行うステップと、
を行うことにより行われることを特徴とする請求項２５に記載の非同期移動通信網から同期移動通信網へのハンドオーバー方法。
【請求項３２】
前記第６のステップは、前記セットアップ後、前記同期無線装置と前記同期移動通信網との間に逆方向チャンネル割当て及び同期を取得して接続を行うステップを含み、
前記発信端末の同期無線装置は、前記同期移動通信網を介して発信応答を待ち続けることを特徴とする請求項３１に記載の非同期移動通信網から同期移動通信網へのハンドオーバー方法。
【請求項３３】
前記第７のステップにおいては、前記非同期移動通信網は、前記経路解放に伴い、前記着信端末の非同期無線装置のための前記アクセス網の無線局ベアラーターミネーションを除去することを特徴とする請求項２５に記載の非同期移動通信網から同期移動通信網へのハンドオーバー方法。
【請求項３４】
前記第７のステップにおいて、前記同期移動通信網からのハンドオーバー完了メッセージに基づいて、前記非同期移動通信網は、無線局ベアラーターミネーション及び同期移動通信網ベアラーターミネーションを単方向に変えることを特徴とする請求項２５に記載の非同期移動通信網から同期移動通信網へのハンドオーバー方法。
【請求項３５】
前記ハンドオーバー方法は、前記発信端末の発信に着信端末が応答するに伴い、非同期移動通信網が同期移動通信網にインターシステム応答メッセージを送るステップと、
前記インターシステム応答メッセージに基づいて、前記同期移動通信網がアクセス網に前記発信端末の呼進行を指令して非同期移動通信網に前記インターシステム応答メッセージの応答を送ることにより、前記同期移動通信網の領域に位置する発信端末と着信端末との呼を接続するステップと、を含むことを特徴とする請求項２５に記載の非同期移動通信網から同期移動通信網へのハンドオーバー方法。
【発明の詳細な説明】
【技術分野】
【０００１】
本発明はハンドオーバーに係り、さらに詳しくは、非同期移動通信網から同期移動通信網への円滑なハンドオーバーを行うことができ、しかも、着信アラート中や発信応答待ち中であってもハンドオーバーを行うことのできる非同期移動通信網から同期移動通信網へのハンドオーバー方法に関する。
【背景技術】
【０００２】
現在、移動通信サービス技術は、ヨーロッパを中心とする非同期サービス環境と北米を中心とする同期サービスとに大別できる。また、高速でパケットを伝達するための新規な移動通信技術標準としてＩＭＴ−２０００サービスを北米、ヨーロッパ中心にそれぞれ発展させている。
【０００３】
同期式ＩＭＴ−２０００サービス（同期移動通信網）は、ＣＤＭＡ２０００１ｘ、ＣＤＭＡ２０００１ｘＥＶ−ＤＯへとサービスの形が発展しており、非同期式ＩＭＴ−２０００サービス（非同期移動通信網）は、ＷＣＤＭＡＵＭＴＳサービスへと発展している。かような環境下においては、同期式と非同期式との間のローミング問題が最大の懸案としてもたげられており、これに伴い、同期移動通信網と非同期移動通信網を円滑にローミング可能にデュアルバンド／デュアルモード対応の端末機器が開発されてきている。
【０００４】
前記非同期移動通信網はサービスの要求が多い地域を中心として構築中にあり、これに伴い、同期移動通信網はそのサービス領域が非同期式システムのサービス領域を含むように発展している。このような過程において、ユーザーが非同期移動通信システムと同期移動通信システムとの間を移動する場合に連続したサービスを提供するためにシステム間ハンドオーバーが必要になり、発信端末が発信中に非同期移動通信網の領域から同期移動通信網の領域に移動する場合と、着信端末がアラート中に非同期移動通信網の領域から同期移動通信網の領域に移動する場合におけるハンドオーバー方法が望まれている。
【発明の開示】
【発明が解決しようとする課題】
【０００５】
本発明は上述した問題点を解決するためになされたものであり、その目的は、デュアルバンド／デュアルモード対応の移動通信端末が非同期移動通信網から同期移動通信網に移動するときに円滑なハンドオーバーが行われるようにし、しかも、端末が着信アラート中または発信中に非同期移動通信網から同期移動通信網に移動するときに円滑な着信アラート及び発呼が行われるようにする非同期移動通信網から同期移動通信網へのハンドオーバー方法を提供するところにある。
【課題を解決するための手段】
【０００６】
上述した目的を達成するために、本発明による非同期移動通信網から同期移動通信網へのハンドオーバー方法は、 非同期移動通信網と非同期通信を行うための非同期無線装置と、同期移動通信網と同期通信を行うための同期無線装置と、前記同期及び非同期無線装置を介した前記同期／非同期移動通信網との無線通信時に制御を行う共通モジュールとを有するデュアルバンド・デュアルモードの移動通信端末に対する非同期移動通信網と同期移動通信網が混在し、前記非同期移動通信網及び同期移動通信網の加入者情報を管理するためのデュアルスタック・ホーム位置登録器を有する移動通信網におけるハンドオーバー方法であって、移動通信端末からのハンドオーバー要請に応じて、前記非同期移動通信網のアクセス網が交換機にハンドオーバーを要請する第１のステップと、前記ハンドオーバー要請に応じて、前記交換機が同期移動通信網へのハンドオーバーであるかどうかを判断し、前記同期移動通信網へのハンドオーバーである場合に、前記デュアルスタック・ホーム位置登録器に前記移動通信端末の加入者情報を要請して受信する第２のステップと、前記第２のステップにおいて受信した前記移動通信端末の加入者情報に基づいて、同期移動通信網にハンドオーバー要請メッセージを送る第３のステップと、前記第３のステップにおける情報に基づいて、同期移動通信網の交換機が前記移動通信端末に順方向チャンネルを割り当てる第４のステップと、前記第４のステップにおけるチャンネルの割当て後、同期移動通信網の交換機が非同期移動通信網に応答メッセージを送ると、非同期移動通信網が前記移動通信端末の非同期無線装置にハンドオーバー要請メッセージを送る第５のステップと、前記ハンドオーバー要請メッセージに基づいて、前記移動通信端末が同期無線装置のセットアップを行い、同期移動通信網と逆方向チャンネル割当て及び同期を合わせて接続を行い、前記移動通信端末が同期移動通信網にハンドオーバー完了メッセージを送る第６のステップと、前記第６のステップにおける前記ハンドオーバー完了メッセージに基づいて、同期移動通信網がハンドオーバー完了メッセージを非同期移動通信網に送る第７のステップと、前記同期移動通信網からのハンドオーバー完了メッセージに基づいて、前記非同期移動通信網の交換機がアクセス網に経路解放指令を送って応答を受信することにより、非同期移動通信網と移動通信端末の非同期無線装置との経路を解放する第８のステップと、を含むことを特徴とする。
【０００７】
また、上述した目的を達成するために、本発明による着信アラート中における非同期移動通信網から同期移動通信網へのハンドオーバー方法は、非同期移動通信網の領域に位置する着信端末としての前記移動通信端末が着信アラート中に同期移動通信網に入る場合、非同期移動通信網が前記デュアルスタック・ホーム位置登録器に前記着信端末の情報を要請して受信する第１のステップと、前記第１のステップにおいて受信した前記着信端末の情報に基づいて、同期移動通信網にハンドオーバーを要請する第２のステップと、前記第２のステップにおける情報に基づいて、同期移動通信網が前記着信端末に順方向チャンネルを割り当てる第３のステップと、前記第３のステップにおけるチャンネル割当て後に、同期移動通信網が非同期移動通信網に応答メッセージを送ると、非同期移動通信網が前記着信端末の非同期無線装置にハンドオーバー要請メッセージを送る第４のステップと、前記ハンドオーバー要請メッセージに基づいて、前記着信端末が同期無線装置のセットアップを行い、同期移動通信網と逆方向チャンネル割当て及び同期を合わせて接続を行い、前記着信アラートを行い続ける第５のステップと、前記接続後、同期移動通信網からのハンドオーバー完了メッセージに基づいて、前記非同期移動通信網と着信端末の非同期無線装置との経路を解放する第６のステップと、前記着信端末が前記着信アラートに応答すれば、前記同期移動通信網が呼を接続する第７のステップと、を含むことを特徴とする。
【０００８】
さらに、上述した目的を達成するために、本発明による発信応答待ち中における非同期移動通信網から同期移動通信網へのハンドオーバー方法は、非同期移動通信網と非同期通信を行うための非同期無線装置と、同期移動通信網と同期通信を行うための同期無線装置と、前記同期及び非同期無線装置を介した前記同期／非同期移動通信網との無線通信時に制御を行う共通モジュールとを有するデュアルバンド・デュアルモードの移動通信端末に対する非同期移動通信網と同期移動通信網が混在し、前記非同期移動通信網及び同期移動通信網の加入者情報を管理するためのデュアルスタック・ホーム位置登録器を有する移動通信網におけるハンドオーバー方法であって、非同期移動通信網の領域に位置する発信端末としての前記移動通信端末が発信応答待ち中に同期移動通信網に入るに伴い、前記非同期移動通信網のアクセス網がコア網にハンドオーバーを要請する第１のステップと、前記ハンドオーバーの要請に応じて、非同期移動通信網のコア網がハンドオーバーを行う前記発信端末の同期移動通信網における加入者情報を要請するメッセージを前記デュアルスタック・ホーム位置登録器に送って応答を受信する第２のステップと、前記第２のステップにおいて受信した前記発信端末の情報に基づいて、前記非同期移動通信網の交換機がハンドオーバー要請メッセージを生成して同期移動通信網にハンドオーバーを要請する第３のステップと、前記第３のステップにおける情報に基づいて、同期移動通信網が前記発信端末に順方向チャンネルを割り当てる第４のステップと、前記第４のステップにおけるチャンネルの割当て後、同期移動通信網が非同期移動通信網に応答メッセージを送ると、非同期移動通信網が前記発信端末の非同期無線装置にハンドオーバー要請メッセージを送る第５のステップと、前記ハンドオーバー要請メッセージに基づいて、前記発信応答待ち中の発信端末が同期無線装置のセットアップを行い、同期移動通信網と逆方向チャンネル割当て及び同期を合わせて接続を行い、前記発信応答を待ち続ける第６のステップと、前記接続後、同期移動通信網からのハンドオーバー完了メッセージに基づいて、前記非同期移動通信網と発信応答待ち中の発信端末の非同期無線装置との経路を解放することにより前記発信端末のハンドオーバーを完了する第７のステップと、を含むことを特徴とする。
【発明を実施するための最良の形態】
【０００９】
以下、添付図面に基づいて本発明を詳述する。
【００１０】
図１は、本発明による同期及び非同期移動通信網の構成を説明するためのブロック図である。
【００１１】
図１を参照するに、非同期移動通信網（ＷＣＤＭＡ網）１００は、移動通信端末４００と無線通信を行う無線局１０１と、前記無線局１０１を制御する無線局制御器（以下、「ＲＮＣ」と称する。）１０２と、前記ＲＮＣ１０２に接続されて移動通信端末４００の移動性を管理するサービングＧＰＲＳサポートノード（Ｓｅｒｖｉｎｇ  ＧＰＲＳ  Ｓｕｐｐｏｒｔ  Ｎｏｄｅ、以下、「ＳＧＳＮ」と称する。）１０３と、ＧＰＲＳ（Ｇｅｎｅｒａｌ  Ｐａｃｋｅｔ  Ｒａｄｉｏ  Ｓｅｒｖｉｃｅ）網１０５を介して前記パケットサービスの制御及びパケットデータの伝達を行う中継装置としての非同期通信網データサービスゲートウェイノード（Ｇａｔｅｗａｙ  ＧＰＲＳ  Ｓｕｐｐｏｒｔ  Ｎｏｄｅ、以下、「ＧＧＳＮ」と称する。）１０６と、を備えている。
【００１２】
また、前記ＲＮＣ１０２には呼交換を行う交換機（以下、「ＭＳＣ」と称する。）１０４が接続され、前記ＭＳＣ１０４は信号交換のためのＮｏ．７信号網１０７に接続される。前記Ｎｏ．７信号網１０７には、短文メッセージをサービスする短文メッセージサービスセンター（以下、「ＳＭＳＣ」と称する。）１０８と、加入者の位置情報を管理するためのデュアルスタック・ホーム位置登録器（以下、「デュアルスタックＨＬＲ」と称する。）３００とが接続される。
【００１３】
一方、同期移動通信網（ＣＤＭＡ２０００網）２００は、移動通信端末４００と無線通信を行う基地局（以下、「ＢＴＳ」と称する。）２０１と、前記ＢＴＳ２０１を制御する基地局制御器（以下、「ＢＳＣ」と称する。）２０２と、前記ＢＳＣ２０２に接続されてパケットデータをサービスするパケットデータサービスノード（Ｐａｃｋｅｔ  Ｄａｔａ  Ｓｅｒｖｉｃｅ  Ｎｏｄｅ、以下、「ＰＤＳＮ」と称する。）２０４と、前記ＰＤＳＮ２０４に接続されてインタネット接続サービスを行うデータコアネットワーク（Ｄａｔａ  Ｃｏｒｅ  ｎｅｔｗｏｒｋ、以下、「ＤＣＮ」と称する。）２０９と、前記ＢＳＣ２０２に接続されて交換を行う交換機（以下、「ＭＳＣ」と称する。）２０３と、を備えてなる。
【００１４】
前記ＭＳＣ２０３は、信号交換のためのＮｏ．７信号網２０５に接続される。前記Ｎｏ．７信号網２０５には、短文メッセージをサービスする短文メッセージサービスセンター（以下、「ＳＭＳＣ」と称する。）２０６と、加入者の位置情報を管理するための前記デュアルスタックＨＬＲ３００とが接続される。
【００１５】
前記非同期移動通信網１００及び同期移動通信網２００のＭＳＣ１０４、２０３は互いに接続されており、Ｎｏ．７信号網１０７、２０５もまた互いに接続されて、移動通信端末４００のハンドオーバーなどに必要な情報を送受信する。
【００１６】
また、この実施形態において、前記同期移動通信網２００及び非同期移動通信網１００にそれぞれ接続される前記デュアルスタックＨＬＲ３００は、非同期移動通信網１００及び同期移動通信網２００の加入者情報と位置情報を管理し、前記非同期移動通信網１００及び同期移動通信網２００がこれを共有する。
【００１７】
図２は、本発明によるデュアルバンド移動通信端末の構成を説明するためのブロック図である。
【００１８】
図２を参照するに、本発明によるデュアルバンド移動通信端末４００は、同期式移動通信及び非同期式移動通信の両方ともに対応するためのものであり、それぞれのプロトコルスタックを有する。
【００１９】
この本発明による移動通信端末４００は、大きく、同期移動通信網２００及び非同期移動通信網１００との電波の送受信のためのアンテナ４１０と、同期式通信のための同期無線装置４３０と、非同期式通信のための非同期無線装置４２０と、同期式及び非同期式の通信時に共通リソースを与えるための共通モジュール４４０と、を備えている。
【００２０】
前記同期無線装置４３０は、無線送信のための同期無線送信部４３２と、無線受信のための同期無線受信部４３３と、同期モデム部４３４とを備え、前記同期無線送信部４３２及び同期無線受信部４３３の一方はデュプレクサー４３１を介してアンテナ４１０に接続され、他方は前記同期モデム部４３４に接続される。
【００２１】
また、非同期無線装置４２０も、前記同期無線装置４３０と同様、無線送信のための非同期無線送信部４２２と、無線受信のための非同期無線受信部４２３と、非同期モデム部４２４と、を備え、前記非同期無線送信部４２２及び非同期無線受信部４２３の一方はデュプレクサー４２１を介してアンテナ４１０に接続され、他方は非同期モデム部４２４に接続される。
【００２２】
前記共通モジュール４４０は、同期モデム部４３４及び非同期モデム部４２４を制御するための中央処理装置として働き、マルチメディア機能を行うアプリケーションプロセッサー、メモリ、入出力部、その他の応用処理部などを備えている。以下、その詳細な構成を説明する。
【００２３】
図３は、本発明による移動通信端末の共通モジュールの構成を説明するためのブロック図である。
【００２４】
図３を参照するに、本発明による移動通信端末の共通モジュール４４０は、前記同期無線装置４３０及び非同期無線装置４２０の各モデム部４２４及び４３４に接続される複数のデュアルポートＲＡＭ（Ｄｕａｌ  Ｐｏｒｔ  ＲＡＭ、以下、「ＤＰＲＡＭ」と称する。）４４１及び４４２と、前記ＤＰＲＡＭ４４１及び４４２に接続され、移動通信端末４００の同期及び非同期通信の全般的な制御とアプリケーション起動を行うメインプロセッサー４４３と、を備える。前記メインプロセッサー４４３には、データ記憶のためのメモリ４４４と、周辺装置の接続のためのＩ／Ｏ装置４４５と、電力制御のための電力制御モジュール（以下、「ＰＷＭ」と称する。）４４６とが接続される。
【００２５】
上述したような構成を有する共通モジュール４４０にはユーザーインタフェース、付加サービス、移動性管理、接続／セッション制御、リソース制御、プロトコル処理のためのソフトウェアが搭載されて、ユーザーが各種の応用サービスを利用できるようにし、ハンドオーバーを行い、移動通信システムに合わせてプロトコル変換を行う。
【００２６】
次に、本発明によるハンドオーバー方法を図４から図６の概念図に基づいて説明する。
【００２７】
図４は、本発明によるハンドオーバー方法を説明するための概念図であり、図５は、本発明による着信アラート中における移動通信端末のハンドオーバーを説明するための概念図であり、図６は、本発明による発信応答待ち中における移動通信端末のハンドオーバーを説明するための概念図である。
【００２８】
まず、図４を参照するに、移動通信端末４００が非同期移動通信網１００の領域Ａから無線局を介して通話中同期移動通信網２００との境界域Ｃに移動する場合、移動通信端末４００は非同期移動通信網１００の無線局にハンドオーバーを要請する。これに応じて、移動通信端末４００に対する非同期移動通信網１００と同期移動通信網１００との間のハンドオーバーが行われる。
【００２９】
すなわち、非同期移動通信網１００領域に位置して音声通話を利用している移動通信端末４００は無線局との信号強度を周期的に測定して無線局に報告し、無線局の信号強度が所定のしきい値以下に下がると、無線局はＲＮＣを介して非同期移動通信網のＭＳＣにハンドオーバーイベントが発生した旨を報告する。このとき、アクセス網（無線局／ＲＮＣ）は非同期移動通信網のＭＳＣに移動通信端末４００が検出した隣接セル情報、基地局ＩＤなどを一緒に送る。
【００３０】
非同期移動通信網のＭＳＣは、ＲＮＣからハンドオーバー要請メッセージを受信すると、ＲＮＣから受信した隣接セル情報、基地局ＩＤなどに基づいて、非同期移動通信網１００内の隣接セル間ハンドオーバーであるか、あるいは、同期移動通信網２００へのハンドオーバーであるかを判断する。ここで、非同期移動通信網１００内の隣接セル間ハンドオーバーであると判断された場合、非同期移動通信網１００のＭＳＣは隣接セルへのハンドオーバーを行う。
【００３１】
これに対し、同期移動通信網２００へのハンドオーバーであると判断された場合には、同期移動通信網２００のＭＳＣへのハンドオーバーを行う。このために、ＭＳＣ１０４は、ハンドオーバーを行う移動通信端末に対する同期移動通信網における加入者情報を取得するために加入者情報要請メッセージを生成し、生成された加入者情報要請メッセージをデュアルスタックＨＬＲ３００に送って（Ｓ３１）、加入者の同期移動通信網２００における識別子情報を要請する。このとき、前記加入者情報を要請するメッセージは、上述したように、同期メッセージ（Ｃａｌｌ  Ｄａｔａ  Ｒｅｑｕｅｓｔ）であるか、あるいは、ＭＡＰ（Ｍｏｂｉｌｅ  Ａｐｐｌｉｃａｔｉｏｎ  Ｐａｒｔ）メッセージを用いる非同期メッセージ（ＭＡＰ  ＳＥＮＤ  ＩＭＳＩ  Ｒｅｑ）である。
【００３２】
前記同期メッセージ（Ｃａｌｌ  Ｄａｔａ  Ｒｅｑｕｅｓｔ）は、図１３に示すように、ビリングＩＤ、デジット（すなわち、ＭＳＩＳＤＮ）などのパラメータを含み、前記非同期メッセージ（Ｃａｌｌ  Ｄａｔａ  Ｒｅｑｕｅｓｔ）は、図１４に示すように、インボークＩＤ、ＭＳＩＳＤＮ及びＩＭＳＩパラメータと、拡張コンテーナーにおける同期移動通信網において用いる情報としてのＭＩＮ及びＥＳＮパラメータとを含む。
【００３３】
前記デュアルスタックＨＬＲ３００は、上述のような非同期メッセージまたは同期メッセージ（Ｃａｌｌ  Ｄａｔａ  Ｒｅｑｕｅｓｔ）を受信し、ＭＩＮ及びＥＳＮを含む応答メッセージを非同期移動通信網１００のＭＳＣ１０４に送る。
【００３４】
また、前記非同期移動通信網１００のＭＳＣ１０４は、非同期メッセージを同期メッセージに変換して同期移動通信網２００のＭＳＣ２０３に送ると共に、同期移動通信網２００の情報をデータベースとして構築して管理する。
【００３５】
前記データベースには交換機情報、信号点、デジケートチャンネル関係の中継線情報などが含まれる。このとき、非同期移動通信網のＭＳＣは、同期移動通信網の情報に基づいて、ハンドオーバーの対象となるＭＳＣを選択し、ハンドオーバーの対象となる交換機ＩＤなどを含むビリングＩＤを生成し、前記デュアルスタックＨＬＲ３００から送られてくる応答メッセージに含まれているＭＩＮ及びＥＳＮを含むハンドオーバー要請メッセージを生成して同期移動通信網２００の当該ＭＳＣに送ることにより、ハンドオーバーを行う。
【００３６】
前記ハンドオーバー要請メッセージは、図１５に示すパラメータを有する。
【００３７】
次に、図５を参照するに、着信端末としての移動通信端末４００ｂが非同期移動通信網１００の領域Ａから無線局を介して着信アラート中に同期移動通信網２００との境界域Ｃに移動する場合、着信端末４００ｂは、非同期移動通信網１００の無線局にハンドオーバーを要請する。これに応じて、着信端末４００ｂに対する非同期移動通信網１００と同期移動通信網２００との間のハンドオーバーが行われる。
【００３８】
さらに、発信端末４００ａからの発信は、同期移動通信網の基地局（ＢＴＳ）を介して着信端末４００ｂへの着信アラートを提供する。
【００３９】
図６を参照するに、発信端末としての移動通信端末４００ａ'が非同期移動通信網１００の領域Ａから無線局を介して発信応答待ち中に同期移動通信網２００との境界域Ｃに移動する場合、発信端末４００ａ'は、非同期移動通信網１００の無線局にハンドオーバーを要請する。これに応じて、発信端末４００ａ'に対する非同期移動通信網１００と同期移動通信網２００との間のハンドオーバーが行われる。
【００４０】
さらに、発信端末４００ａ'の発信応答待ちは、同期移動通信網の基地局（ＢＴＳ）を介して継続して行われる。
【００４１】
すなわち、非同期移動通信網１００の領域に位置して発信応答待ち中の発信端末４００ａ'は、図４に基づいて説明したように、無線局１０１との信号強度を周期的に測定して無線局１０１に報告し、無線局１０１の信号強度が所定のしきい値以下に下がると、無線局１０１はＲＮＣ１０２を介して非同期移動通信網１００のＭＳＣ１１０にハンドオーバーイベントが発生した旨を報告する。このとき、アクセス網（無線局／ＲＮＣ）は、非同期移動通信網１００のＭＳＣ１１０に発信端末４００ａ'が検出した隣接セル情報、基地局ＩＤなどを一緒に送る。
【００４２】
非同期移動通信網１００のＭＳＣ１１０は、アクセス網からハンドオーバー要請メッセージを受信すると、前記ＲＮＣ１０２から受信した隣接セル情報、基地局ＩＤなどに基づいて、非同期移動通信網１００内の隣接セル間ハンドオーバーであるか、あるいは、同期移動通信網２００へのハンドオーバーであるかを判断する。ここで、非同期移動通信網１００内の隣接セル間ハンドオーバーであると判断された場合、非同期移動通信網１００のＭＳＣ１１０は隣接セルへのハンドオーバーを行う。
【００４３】
これに対し、同期移動通信網２００へのハンドオーバーであると判断された場合には、加入者情報を取得するために、図１３に示すパラメータを有する同期メッセージ（Ｃａｌｌ  Ｄａｔａ  Ｒｅｑｕｅｓｔ）、または図１４に示すパラメータを有する非同期メッセージ（ＭＡＰ  ＳＥＮＤ  ＩＭＳＩ）を生成してデュアルスタックＨＬＲ３００に送り、デュアルスタックＨＬＲ３００からの応答メッセージを受信すると、予め用意されている同期移動通信網２００の情報に基づいて、ハンドオーバーの対象となるＭＳＣを選択し、ハンドオーバー対象となる交換機ＩＤなどを含むビリングＩＤを生成する。
【００４４】
また、非同期移動通信網のＭＳＣ１０４は、前記デュアルスタックＨＬＲ３００からの応答メッセージに含まれているＥＳＮ及びＭＩＮ情報と前記ハンドオーバー対象となる交換機ＩＤなどを含むビリングＩＤを含むハンドオーバー要請メッセージ（ＦａｃｉｌｉｔｉｅｓＤｒｉｃｔｉｖｅ２）を生成して同期移動通信網２００に送る。
【００４５】
このとき、非同期移動通信網のＭＳＣ１０４は、前記ハンドオーバー要請メッセージにおいてハンドオーバーの状態を示すパラメータ（ＨａｎｄｏｆｆＳｔａｔｅ）を発信者ハンドオーバーに設定する。
【００４６】
以下、図１１から図１７に基づき、上述したメッセージ及びパラメータについて説明する。
【００４７】
図７は、本発明によるハンドオーバーを説明するためのフローチャートであり、図４から図６の概念図に基づいて上述したハンドオーバーの過程をより具体的に説明するためのものである。
【００４８】
図７に示すように、移動通信端末４００が非同期無線装置４２０を用いて通話中、着信アラート中、または、発信応答待ち中（Ｓ１０）の場合において、前記移動通信端末４００は、非同期移動通信網１００から同期移動通信網２００の領域に移動するに伴い、同期移動通信網２００からの信号を感知する。
【００４９】
これにより、前記移動通信端末４００は、非同期移動通信網１００の無線局１０１からの信号強度及び隣接基地局（または、無線局）との信号強度を周期的に測定して無線局１０１に報告し、非同期移動通信網１００のアクセス網（無線局及びＲＮＣ）は前記報告内容に基づいて移動通信端末４００のハンドオーバーの有無を判断する（Ｓ２１）。
【００５０】
このとき、現在移動通信端末４００に接続されている無線局１０１において移動通信端末４００と無線局１０１との信号強度が所定の値以下であることが確認されると、ＲＮＣ１０２を介して非同期移動通信網１００のＭＳＣ１０４にハンドオーバーのためのハンドオーバー要請メッセージ（ＩＵ  Ｒｅｌｏｃ  Ｒｅｑｕｉｒｅｄ）を送る（Ｓ２２）。
【００５１】
前記ハンドオーバー要請メッセージ（ＩＵ  Ｒｅｌｏｃ  Ｒｅｑｕｉｒｅｄ）は、図１１に示すメッセージ型、ハンドオーバー型、ハンドオーバーの原因、ソース基地局制御器ＩＤ、ターゲット基地局制御器ＩＤ、ＲＡＢ（Ｒａｄｉｏ  Ａｃｃｅｓｓ  Ｂｅａｒｅｒ）情報及び無線区間関係の情報などのパラメータに、図１２に示すセル情報などの同期移動通信網２００において用いる情報を含む。
【００５２】
非同期移動通信網１００のＭＳＣ１０４は、前記ハンドオーバー要請メッセージ（ＩＵ  Ｒｅｌｏｃ  Ｒｅｑｕｉｒｅｄ）を受信し、その情報に基づいて、非同期移動通信網１００内の隣接セル間ハンドオーバーであるか、または、同期移動通信網２００へのハンドオーバーであるかを判断する。ここで、非同期移動通信網１００内の隣接セル間ハンドオーバーであると判断された場合、通常のハンドオーバーを行う。
【００５３】
これに対し、同期移動通信網へのハンドオーバーであると判断された場合、ハンドオーバーを行う移動通信端末に対する同期移動通信網における加入者情報を取得するために、非同期移動通信網１００のコア網としてのＭＳＣ１０４は、前記移動通信端末の同期移動通信網における加入者情報を要請するメッセージをデュアルスタックＨＬＲ３００に送って（Ｓ３１）、加入者の同期移動通信網２００における識別子情報を要請する。
【００５４】
このとき、前記加入者情報要請メッセージは、同期メッセージ（Ｃａｌｌ  Ｄａｔａ  Ｒｅｑｕｅｓｔ）を用いることができ、前記同期メッセージは、図１３に示すように、ビリングＩＤ、デジット（すなわち、ＭＳＩＳＤＮ）などのパラメータを含み、ＭＡＰメッセージを用いる非同期メッセージ（ＭＡＰ  ＳＥＮＤ  ＩＭＳＩ  Ｒｅｑ）は、図１４に示すように、インボークＩＤ、ＭＳＩＳＤＮ、ＩＭＳＩなどの非同期パラメータと、その拡張コンテーナーにおけるＭＩＮ、ＥＳＮなどの同期パラメータを含む。
【００５５】
さらに、デュアルスタックＨＬＲ３００は、前記加入者情報の要請に応じて、当該加入者の同期移動通信網２００における識別子情報としてのＥＳＮ及びＭＩＮ情報を含む応答メッセージを非同期移動通信網１００のＭＳＣ１０４に送る（Ｓ３２）。
【００５６】
次に、非同期移動通信網１００のＭＳＣ１０４は、前記応答メッセージに含まれるＭＩＮ情報に相当する移動通信端末４００のハンドオーバー要請メッセージ（ＦａｃｉｌｉｔｉｅｓＤｉｒｅｃｔｉｖｅ２）を同期移動通信網２００のコア網としてのＭＳＣ２０３に送る（Ｓ４１）。このとき、前記ハンドオーバー要請メッセージは、図１５に示すように、ハンドオーバーを行う上述した同期移動通信網の基地局情報としてのセル情報と、ビリングＩＤなどのパラメータを含む。
【００５７】
前記同期移動通信網２００のＭＳＣ２０３は、前記ハンドオーバー要請メッセージに基づいて、同期移動通信網２００のアクセス網（ＢＴＳ及びＢＳＣ）にハンドオーバー要請メッセージを送る（Ｓ４２）。
【００５８】
前記同期移動通信網のアクセス網は、順方向トラフィックの伝送のための順方向基本チャンネル（Ｆｏｒｗａｒｄ  Ｆｕｎｄａｍｅｎｔａｌ  Ｃｈａｎｎｅｌ；Ｆ−ＦＣＨ）を介して前記ＭＩＮに相当する移動通信端末４００の同期無線装置４３０にヌルトラフィックチャンネルフレームを送り（Ｓ５０）、アクセス網（ＢＴＳ／ＢＳＣ）は、ハンドオーバー要請応答メッセージをＭＳＣ２０３に送る（Ｓ６１）。これにより、移動通信端末４００の同期無線装置４３０に順方向チャンネルが割当てられる。
【００５９】
このように、同期移動通信網２００においてハンドオーバー準備が完了すると、同期移動通信網２００のＭＳＣ２０３は、非同期移動通信網１００にステップＳ４１に対する応答信号、すなわち、ハンドオーバー要請メッセージ応答（ＦａｃｉｌｉｔｉｅｓＤｉｒｅｃｔｉｖｅ２  Ａｃｋ）を送る（Ｓ６２）。これにより、非同期移動通信網１００のＭＳＣ１０４と同期移動通信網２００のＭＳＣ２０３との間の中継線が設定される。
【００６０】
より具体的に、非同期移動通信網１００のＭＳＣ１０４は、論理的な中継線設定識別子としてのデジケートチャンネルと物理的な中継線とのマッピング関係を設定し、この情報を上述したハンドオーバー要請メッセージ（ＦａｃｉｌｉｔｉｅｓＤｉｒｅｃｔｉｖｅ２）の内部交換機サーキットＩＤ（Ｉｎｔｅｒ  ＭＳＣ  Ｃｉｒｃｕｉｔ  ＩＤ）に設定して同期移動通信網１００のＭＳＣ２０３に送り、同期移動通信網１００のＭＳＣ２０３から前記ステップＳ６２の応答メッセージ（ＦａｃｉｌｉｔｉｅｓＤｉｒｅｃｔｉｖｅ２  Ａｃｋ）が送られてくると、非同期移動通信網１００のＭＳＣ１０４と同期移動通信網２００のＭＳＣ２０３との間に中継線が設定される。前記ステップＳ６２における応答メッセージ（ＦａｃｉｌｉｔｉｅｓＤｉｒｅｃｔｉｖｅ２  Ａｃｋ）は、ＣＤＭＡチャンネルデータ、ＣＤＭＡチャンネル一覧などのパラメータを含む。
【００６１】
この後、非同期移動通信網１００のＭＳＣ１０４は、ハンドオーバーのためのリソース割当てが完了した旨を知らせる経路再設定指令（ＩＵ  Ｒｅｌｏｃａｔｉｏｎ  Ｃｏｍｍａｎｄ）をアクセス網（無線局／ＲＮＣ）に送る（Ｓ７１）。このとき、経路再設定指令は、図１６に示すパラメータを含む。
【００６２】
ステップＳ７１における経路再設定指令に基づいて、アクセス網（無線局／ＲＮＣ）は、ハンドオーバー要請メッセージ（Ｈａｎｄｏｖｅｒ  ｆｒｏｍ  ＵＴＲＡＮ  Ｃｏｍｍａｎｄ）を移動通信端末４００の非同期無線装置４２０に送る（Ｓ７２）。このとき、ハンドオーバー要請メッセージは、同期移動通信網関係のメッセージ、特に、チャンネル割当てのための情報を有するＨＤＭ（Ｈａｎｄｏｆｆ  Ｄｉｒｅｃｔｉｏｎ  Ｍｅｓｓａｇｅ）を含む。
【００６３】
次に、ステップＳ７２におけるハンドオーバー要請メッセージに基づいて、非同期無線装置４２０は、メインプロセッサー４４３を介してチャンネル割当てを要請し、メインプロセッサー４４３は、同期無線装置４３０にチャンネル割当てを行う（Ｓ８１）。
【００６４】
これにより、同期無線装置４３０の同期モデム部４３４はセットアップを行い（Ｓ８２）、前記セットアップ中に、同期モデム部４３４は、スイッチオン及びワームアップにより起動され、パイロットチャンネルの取得及び同期チャンネルの取得により同期移動通信網２００のアクセス網（ＢＴＳ／ＢＳＣ）と同期化を行い、同期チャンネルを取得することにより、タイミング情報、その他のシステム情報などを前記アクセス網（ＢＴＳ／ＢＳＣ）から受信する。
【００６５】
さらに、同期無線装置４３０は、メインプロセッサー４４３を介して非同期無線装置４２０に呼接続信号を送る（Ｓ８３）。これにより、移動通信端末４００の非同期無線装置４２０と同期無線装置４３０との間のモード切替えが完了する。
【００６６】
また、同期無線装置４３０は、同期移動通信網２００のアクセス網（ＢＴＳ／ＢＳＣ）に逆方向基本チャンネル（Ｒｅｖｅｒｓｅ  Ｆｕｎｄａｍｅｎｔａｌ  Ｃｈａｎｎｅｌ；Ｒ−ＦＣＨ）を介してトラフィックチャンネルフレームを送る（Ｓ９１）ことにより、移動通信端末４００は同期移動通信網との逆方向同期を取得する。これにより、移動通信端末４００と同期移動通信網２００との接続が行われ、移動通信端末４００の同期無線装置４３０は同期移動通信網２００のアクセス網にハンドオーバー完了メッセージを送る（Ｓ９２）。さらに、これを受信したアクセス網（ＢＴＳ／ＢＳＣ）がこれに対する応答信号を同期無線装置４３０に送る（Ｓ９３）。
【００６７】
この後、同期移動通信網２００のアクセス網（ＢＴＳ／ＢＳＣ）は、ＭＳＣ２０３にハンドオーバー完了を報知し（Ｓ９４）、同期移動通信網２００のＭＳＣ２０３は非同期移動通信網１００のコア網にハンドオーバー完了を報知する（Ｓ９５）。さらに、非同期移動通信網１００は、前記ハンドオーバー完了報知に基づいて、無線局ベアラーターミネーション及び同期移動通信網ベアラーターミネーションを単方向に変える。
【００６８】
次に、非同期移動通信網１００のＭＳＣ１０４は、無線局／ＲＮＣに移動通信端末４００の非同期無線装置４２０との経路を解放することを要請し（Ｓ１０１）、非同期移動通信網１００は、非同期無線装置４２０との呼を解放し、呼解放が完了した旨をコア網に報告する（Ｓ１０２）。
【００６９】
この後、非同期移動通信網１００は、アクセス網の無線局ベアラーターミネーションを除去し（Ｓ１０３）、これにより、通話中、着信アラート中、または発信応答待ち中にある移動通信端末４００の非同期移動通信網１００から同期移動通信網２００へのハンドオーバーが完了する。
【００７０】
次に、図８から図１０に基づき、ハンドオーバー完了後の過程を実施形態別に説明する。
【００７１】
図８は、本発明によるハンドオーバー過程後の呼解放過程を説明するためのフローチャートであり、ハンドオーバー後、着信端末及び発信端末のいずれか一方が呼を解放すると、次の手続きが行われる。
【００７２】
図８に示すように、非同期移動通信網１００の領域に位置する移動通信端末が呼を解放（Ｓ１１０）すると、非同期移動通信網１００は、呼解放要請メッセージ（Ｆａｃｉｌｉｔｉｅｓ  Ｒｅｌｅａｓｅ）を同期移動通信網２００に送り（Ｓ１２１）、同期移動通信網２００はそれによる応答メッセージ（Ｆａｃｉｌｉｔｉｅｓ  Ａｃｋ）を非同期移動通信網１００に送った後（Ｓ１２２）、同期移動通信網２００の領域に位置する移動通信端末との呼を完全に解放する。
【００７３】
しかしながら、同期移動通信網２００の領域に位置する移動通信端末が呼を解放すると、同期移動通信網２００は、呼解放要請メッセージ（Ｆａｃｉｌｉｔｉｅｓ  Ｒｅｌｅａｓｅ）を非同期移動通信網１００に送り（Ｓ１３１）、非同期移動通信網１００はそれによる応答メッセージ（Ｆａｃｉｌｉｔｉｅｓ  Ａｃｋ）を同期移動通信網２００に送った後（Ｓ１３２）、非同期移動通信網１００の領域に位置する移動通信端末との呼を完全に解放する。
【００７４】
前記呼解放要請メッセージ（Ｆａｃｉｌｉｔｉｅｓ  Ｒｅｌｅａｓｅ）は、図１７に示すように、ビリングＩＤ、デジット、ＭＳＣＩＤなどのパラメータを含み、その応答メッセージ（Ｆａｃｉｌｉｔｉｅｓ  Ａｃｋ）はＥＳＮ、ＭＩＮなどのパラメータを含む。
次に、図９は、本発明による着信アラート中のハンドオーバー過程後の呼接続／解放過程を説明するためのフローチャートである。
【００７５】
ハンドオーバー完了後、同期移動通信網２００の領域に位置する移動通信端末４００が応答（Ｓ２１０）をすると、同期移動通信網のＭＳＣはインターシステム応答メッセージ（ＩｎｔｅｒＳｙｓｔｅｍＡｎｓｗｅｒ）を非同期移動通信網１００に送る（Ｓ２２１）。このとき、インターシステム応答メッセージを受信した非同期移動通信網１００は、最初に発呼したシステムに所定のＩＳＵＰ  ＡＮＳＷＥＲメッセージを送る。さらに、非同期移動通信網１００は、前記ステップＳ１２１におけるメッセージによる応答を同期移動通信網２００に送る（Ｓ２２２）。これにより、同期移動通信網２００に位置する着信端末としての移動通信端末４００と発信端末が位置する非同期移動通信網１００との間の呼が接続される（Ｓ２２３）。
【００７６】
呼の接続後に通話がなされていて、着信端末及び発信端末のいずれか一方が呼を解放（Ｓ２３０）すると、次の手続きが行われる。
【００７７】
非同期移動通信網１００に位置する発信端末が呼を解放すると、非同期移動通信網１００は呼解放要請メッセージ（Ｆａｃｉｌｉｔｉｅｓ  Ｒｅｌｅａｓｅ）を同期移動通信網２００に送り（Ｓ２４１）、同期移動通信網２００はそれによる応答メッセージ（Ｆａｃｉｌｉｔｉｅｓ  Ａｃｋ）を非同期移動通信網１００に送った後（Ｓ２４２）、着信端末としての移動通信端末４００との呼を完全に解放する。
【００７８】
しかしながら、同期移動通信網２００に位置する着信端末４００が呼を解放すると、同期移動通信網２００は呼解放要請メッセージ（Ｆａｃｉｌｉｔｉｅｓ  Ｒｅｌｅａｓｅ）を非同期移動通信網１００に送り（Ｓ２５１）、非同期移動通信網１００はそれによる応答メッセージ（Ｆａｃｉｌｉｔｉｅｓ  Ａｃｋ）を同期移動通信網２００に送った後（Ｓ２５２）、発信端末との呼を完全に解放する。
【００７９】
図１０は、本発明による発信応答待ち中におけるハンドオーバー過程後の呼接続／解放過程を説明するためのフローチャートである。
【００８０】
ハンドオーバー完了後、非同期移動通信網１００の領域に位置する着信端末が応答（Ｓ３１０）をすると、着信側のシステムから送られてくるメッセージ（非同期メッセージとしてのＢＩＣＣまたは同期メッセージとしてのＩＳＵＰ  Ａｎｓｗｅｒに基づいて、非同期移動通信網１００のＭＳＣ１０４はインターシステム応答メッセージ（ＩｎｔｅｒＳｙｓｔｅｍＡｎｓｗｅｒ）を発信端末がハンドオーバーをした同期移動通信網２００に送る（Ｓ３２１）。
【００８１】
これにより、同期移動通信網２００のＭＳＣ２０３は、アクセス網に呼進行を知らせるメッセージ（Ｐｒｏｇｒｅｓｓ）を送り（Ｓ３２２）、前記ステップＳ１２１におけるメッセージによる応答（ＩｎｔｅｒＳｙｓｔｅｍＡｎｓｗｅｒ  Ａｃｋ）を非同期移動通信網１００に送る（Ｓ３２３）。これにより、同期移動通信網２００の領域にハンドオーバーをした移動通信端末と着信側との間の呼が接続される（Ｓ３２４）。
【００８２】
呼接続後に通話がなされていて、着信端末及び発信端末のいずれか一方が呼を解放（Ｓ３３０）すると、次の手続きが行われる。
【００８３】
非同期移動通信網１００の領域に位置する移動通信端末が呼を解放すると、非同期移動通信網１００は呼解放要請メッセージ（Ｆａｃｉｌｉｔｉｅｓ  Ｒｅｌｅａｓｅ）を同期移動通信網２００に送り（Ｓ３４１）、同期移動通信網２００はそれによる応答メッセージ（Ｆａｃｉｌｉｔｉｅｓ  Ａｃｋ）を非同期移動通信網１００に送った後（Ｓ３４２）、同期移動通信網２００の領域に位置する移動通信端末４００との呼を完全に解放する。
【００８４】
しかしながら、同期移動通信網２００の領域に位置する移動通信端末が呼を解放すると、同期移動通信網２００は呼解放要請メッセージ（Ｆａｃｉｌｉｔｉｅｓ  Ｒｅｌｅａｓｅ）を非同期移動通信網１００に送り（Ｓ３５１）、非同期移動通信網１００はそれによる応答メッセージ（Ｆａｃｉｌｉｔｉｅｓ  Ａｃｋ）を同期移動通信網２００に送った後（Ｓ３５２）、非同期移動通信網１００の領域に位置する移動通信端末との呼を完全に解放する。
【００８５】
一方、前記ステップＳ３３０からＳ３４２のステップと、Ｓ３５１のステップ及びＳ３５２のステップは、図９の実施形態と同様である。
【００８６】
以上、本発明について詳細に説明したが、本発明が属する技術分野における通常の知識を持った者であれば、本発明がその技術的な思想や必須的な特徴を変えることなく、他の具体的な形態で実施可能であることは理解できるであろう。よって、上述した実施形態はあらゆる面において例示的なものに過ぎず、限定的なものではないと理解さるべきである。本発明の範囲は上述した説明よりは後述する特許請求の範囲により開示され、特許請求の範囲の意味及び範囲、さらには、その等価概念から導き出されるあらゆる変更または変形された形態が本発明の範囲に含まれるものとして解釈すべきである。
【産業上の利用可能性】
【００８７】
以上述べたように、本発明による非同期移動通信網から同期移動通信網へのハンドオーバー方法によれば、非同期移動通信システムと同期移動通信システムが混在した移動通信網において、移動通信端末が通話中に非同期移動通信網の領域から同期移動通信網の領域に移動する場合、ハンドオーバーを円滑に行うことにより、呼が途切れないサービスを提供することができるという効果がある。特に、着信端末がアラート中に、あるいは、発信端末が発信応答待ち中に非同期移動通信網の領域から同期移動通信網の領域に移動する場合、呼が途切れることなく、ハンドオーバーを円滑に行うことにより、呼接続率を高めることができるという効果がある。
【図面の簡単な説明】
【００８８】
【図１】本発明による移動通信端末と移動通信網との接続を説明するためのブロック図である。
【図２】本発明による移動通信端末の構成を説明するためのブロック図である。
【図３】本発明による移動通信端末の構成を説明するためのブロック図である。
【図４】本発明によるハンドオーバー方法を説明するための概念図である。
【図５】本発明による着信アラート中における移動通信端末のハンドオーバーを説明するための概念図である。
【図６】本発明による発信応答待ち中における移動通信端末のハンドオーバーを説明するための概念図である。
【図７】本発明によるハンドオーバー過程を説明するためのフローチャートである。
【図８】本発明によるハンドオーバー過程後の呼解放過程を説明するためのフローチャートである。
【図９】本発明による着信アラート中におけるハンドオーバー過程後の呼接続／解放過程を説明するためのフローチャートである。
【図１０】本発明による発信応答待ち中におけるハンドオーバー過程後の呼接続／解放過程を説明するためのフローチャートである。
【図１１】本発明によるハンドオーバーのためのメッセージに含まれるパラメータを説明するための説明図である。
【図１２】本発明によるハンドオーバーのためのメッセージに含まれるパラメータを説明するための説明図である。
【図１３】本発明によるハンドオーバーのためのメッセージに含まれるパラメータを説明するための説明図である。
【図１４】本発明によるハンドオーバーのためのメッセージに含まれるパラメータを説明するための説明図である。
【図１５】本発明によるハンドオーバーのためのメッセージに含まれるパラメータを説明するための説明図である。
【図１６】本発明によるハンドオーバーのためのメッセージに含まれるパラメータを説明するための説明図である。
【図１７】本発明によるハンドオーバーのためのメッセージに含まれるパラメータを説明するための説明図である。
【符号の説明】
【００８９】
１００  非同期移動通信網
２００  同期移動通信網
４００  移動通信端末
４１０  アンテナ
４２０  非同期無線装置
４３０  同期無線装置
４４０  共通モジュール
４４３  メインプロセッサー
【図１】
2008538476.tif 000003
【図２】
2008538476.tif 000004
【図３】
2008538476.tif 000005
【図４】
2008538476.tif 000006
【図５】
2008538476.tif 000007
【図６】
2008538476.tif 000008
【図７】
2008538476.tif 000009
【図８】
2008538476.tif 000010
【図９】
2008538476.tif 000011
【図１０】
2008538476.tif 000012
【図１１】
2008538476.tif 000013
【図１２】
2008538476.tif 000014
【図１３】
2008538476.tif 000015
【図１４】
2008538476.tif 000016
【図１５】
2008538476.tif 000017
【図１６】
2008538476.tif 000018
【図１７】
2008538476.tif 000019
【国際調査報告】
2008538476.tif 000020
2008538476.tif 000021